(57)【要約】受信装置は、サンプリング信号発生部の入力部に接続され、位置情報取得部からの信号に基づいてサンプリング信号の周波数を制御する制御部を有する。これにより、妨害信号を検波しなくとも、位置情報取得部からの信号に基づいて、ＡＤ変換部に供給されるサンプリング信号の周波数を制御できる。その結果、消費電力を低減できる。
2007040176.tif 000002
【特許請求の範囲】
【請求項１】
中間周波帯域の周波数を有するアナログ信号が入力され前記アナログ信号をデジタル信号に変換するＡＤ変換部と、
前記ＡＤ変換部に接続され前記ＡＤ変換部にサンプリング信号を供給するサンプリング信号発生部と、
前記サンプリング信号発生部に接続され前記サンプリング信号発生部に前記サンプリング信号の周波数を制御する制御信号を供給する周波数制御部と、
前記周波数制御部に接続され前記周波数制御部に前記サンプリング信号の周波数を制御するための位置情報を供給する位置情報取得部と、
を有する受信装置。
【請求項２】
前記位置情報取得部は、ＧＰＳ受信機である請求項１に記載の受信装置。
【請求項３】
前記位置情報取得部は、携帯端末の通信回線より位置情報を取得する請求項１に記載の受信装置。
【請求項４】
前記ＡＤ変換部に接続されたフィルタをさらに有し、
前記位置情報取得部からの信号に基づいて前記フィルタの特性を変化させる請求項１に記載の受信装置。
【請求項５】
前記周波数制御部にチャンネル情報を供給するチャンネル設定部と、
都道府県別の地上波デジタル放送チャンネルおよびセグメントに対するサンプリング信号のテーブルが格納され、前記周波数制御部に前記テーブルの情報を供給する記憶部と、
をさらに有し、
前記周波数制御部は、前記位置情報と前記チャンネル情報によって前記テーブルを参照し、前記サンプリング信号の周波数を決定する請求項１に記載の受信装置。
【発明の詳細な説明】
【技術分野】
【０００１】  本発明は、地上波デジタル放送を受信する受信装置に関する。
【背景技術】
【０００２】  日本特開平８−８８６０８号公報は、受信中間周波信号をデジタル信号処理回路に供給するために設けられるＡＤ変換回路を開示している。このＡＤ変換回路は、サンプリング後の信号の周波数に妨害信号有りと判定した場合に、妨害信号が検出されない他の周波数に対応するサンプリング周波数を選択する。【０００３】  以下、従来の地上波デジタル放送受信装置について図２、図３を用いて説明する。図２はＡＤ変換前の希望信号と妨害信号との周波数関係を示すスペクトラム図である。図３は従来例における受信装置のブロック図である。図３において、アンテナ１０１の出力部に混合部１０３の一方の入力が接続され、この混合部１０３の出力部に中間周波フィルタ１０４が接続される。さらに、この中間周波フィルタ１０４の出力部にＡＤ変換部１０５が接続され、このＡＤ変換部１０５の出力部に復調部１０６が接続されている。また、混合部１０３の他方の入力にはローカル信号発生部１０９が接続され、ローカル信号とアンテナ１０１からの入力信号が掛け合わされた信号が中間周波信号として出力される。このローカル信号発生部１０９は、制御部１１０からの制御信号によって、発振周波数を制御される。この制御信号はチャンネル設定部１１３からのチャンネル情報とセグメント情報により、記憶部１１１から制御情報が呼び出され、その制御情報を基に生成される。また、ＡＤ変換部１０５の他方の入力部にサンプリング信号を発振するサンプリング信号発生部１０７が接続される。このサンプリング信号発生部１０７の入力部に、サンプリング信号の周波数を制御する周波数制御部１０８が接続されている。【０００４】  上記構成において、中間周波フィルタ１０４で十分減衰されなかった希望チャンネルの隣接チャンネルもしくは次隣接チャンネルが折り返し範囲に存在する場合、妨害信号となる。つまり、サンプリング周波数の整数倍±希望信号周波数帯に信号が存在する場合、サンプリング信号によって希望信号の周波数帯に周波数変換され、妨害信号となる。その結果、アナログからデジタルへの変換後に希望信号を再現できなくなる。この為、特に隣接および次隣接チャンネルが地上波アナログ放送信号の場合は中間周波フィルタ１０４での所望の減衰量が大きくなる。その理由はデジタル放送とアナログ放送が混在することにより、デジタル放送信号がアナログ放送信号を妨害しないように、デジタル放送の送信電力が低く設定されているためである。【０００５】  上記中間周波フィルタ１０４の所望の減衰量が大きくなるのを防ぐために、混合部１０３の出力部に、妨害信号を検波する検波部１１２が接続されている。この検波部１１２の出力部に、検波部１１２によって妨害信号が存在すると判断された場合、サンプリング信号発生部１０７のサンプリング周波数を制御する周波数制御部１０８が接続されている。【０００６】  しかしながら、従来の受信装置は、上下の隣接チャンネルおよび上下の次隣接チャンネルの合計４つの周波数帯域で、妨害信号を検波する必要がある。そのため、消費電力が大きくなるという問題がある。
【発明の開示】
【０００７】  受信装置は、ＡＤ変換部とサンプリング信号発生部と周波数制御部と位置情報取得部とを有する。ＡＤ変換部は、入力された中間周波帯域の周波数を有するアナログ信号をデジタル信号に変換する。サンプリング信号発生部は、ＡＤ変換部にサンプリング信号を供給する。周波数制御部は、サンプリング信号発生部にサンプリング信号の周波数を制御する制御信号を供給する。位置情報取得部は、周波数制御部にサンプリング信号の周波数を制御するための位置情報を供給する。よって、消費電力が低減される受信装置を提供できる。
【図面の簡単な説明】
【０００８】
【図１】図１は本発明の実施の形態における受信装置のブロック図である。
【図２】図２はＡＤ変換前の希望信号と妨害信号との周波数関係を示すスペクトラム図である。
【図３】図３は従来例における受信装置のブロック図である。
【符号の説明】
【０００９】１  アンテナ
２  高周波増幅部
３  混合部
４  中間周波フィルタ
５  ＡＤ変換部
６  復調部
７  サンプリング信号発生部
８  周波数制御部
９  位置情報取得部
１０  チャンネル設定部
１１  記憶部
【発明を実施するための最良の形態】
【００１０】  図１は、本発明の実施の形態における受信装置のブロック図である。図１において、アンテナ１の出力部に入力フィルタ（図示せず）と、高周波増幅部２と、混合部３と、中間周波フィルタ４と、中間周波増幅部（図示せず）とがこの順に接続されている。この中間周波増幅部の出力部にＡＤ変換部５が接続され、このＡＤ変換部５の出力部に復調部６が接続されている。ＡＤ変換部５は、中間周波帯域の周波数を有するアナログ信号が入力されると、デジタル信号に変換する。また、ＡＤ変換部５の他の入力部にサンプリング信号を供給するサンプリング信号発生部７（以後、発生部７と言う）が接続され、この発生部７の入力部に、サンプリング信号の周波数を制御する周波数制御部８が接続されている。この周波数制御部８は、３つの入力を有し、これら３つの入力は、位置情報取得部９の出力部、チャンネル設定部１０（以後、設定部１０と言う）の出力部、記憶部１１の出力部にそれぞれ接続されている。【００１１】  位置情報取得部９は、例えばＧＰＳ（Ｇｌｏｂａｌ  Ｐｏｓｉｔｉｏｎｉｎｇ  Ｓｙｓｔｅｍ）受信機からなり、受信装置の現在位置を取得するものである。また、ＧＰＳ衛星から位置情報を取得するため、受信装置を全世界で使用することもできる。【００１２】  設定部１０は、例えばテレビ用マイコンからなる。設定部１０は、発生部７を制御する周波数制御部８と、ローカル信号発生部１２を制御する制御部１３とにユーザーが選局したチャンネル情報およびセグメント情報を送信するものである。【００１３】  なお、制御部１３は、上記チャンネル情報と、記憶部１４からの制御情報によりローカル信号発生部１２を制御する。【００１４】  記憶部１１は、例えば、ＲＯＭ、ＥＥＰＲＯＭ、フラッシュメモリからなり、表１に示すようなテーブルを記憶している。このテーブルは各都道府県別の地上波デジタル放送チャンネルおよびセグメントに対するサンプリング信号発生部制御情報である。【００１５】
【表１】
2007040176.tif 000003
【００１６】  このテーブルの生成方法を説明する。まず、各都道府県別の地上波デジタル放送およびアナログ放送のチャンネルプランにより、各デジタル放送チャンネルの隣接および次隣接チャンネルにアナログ放送チャンネルが存在するかどうかを判定する。例えば、表２に示すチャンネルプランにより、大阪においてデジタル放送７チャンネルの隣接チャンネルとして、アナログ放送６チャンネルと８チャンネルとが存在することが分かる。【００１７】
【表２】
2007040176.tif 000004
【００１８】  また、次隣接チャンネルとして、アナログ放送５チャンネルと９チャンネルとが存在しないことが分かる。次に、表３に示すアナログ放送の存在状況に対するサンプリング周波数の関係から、サンプリング信号の周波数を何Ｈｚにすれば良いかが分かる。【００１９】
【表３】
2007040176.tif 000005
【００２０】  例えば、表３に示すテーブルにより、ＶＨＦ７チャンネルの第１セグメント（Ｓ１）を受信時であって、隣接チャンネルのみ存在する場合は、サンプリング信号の周波数を２．４ＭＨｚにすればよいことが分かる。この表３に示すサンプリング信号の周波数は、隣接・次隣接チャンネル妨害信号の所望の減衰量、発生部７の消費電力などを総合的に考慮して決定されている。このように、表２に示すチャンネルプラン及び表３に示すテーブルにより表１に示すテーブルは生成される。【００２１】  なお、地上波アナログ放送の周波数変換や地上波デジタル放送の送信電力増加が順次実施されているので、記憶部１１に記憶されているテーブルを更新する必要が生じる。そのため、携帯端末の通信回線や無線ＬＡＮ、Ｂｌｕｅｔｏｏｔｈ（Ｂｌｕｅｔｏｏｔｈ：ザブルートゥース  エスアイジー  インコーポレーテッドの登録商標）などの無線通信機器、ＳＤメモリなどの交換可能な外部記憶装置を通して、テーブルを最新データに更新出来る。【００２２】  また、表１で示すテーブルは１セグメント放送受信時のものであるが、３セグメント放送を受信できる受信器においては同様に３セグメント放送受信用のテーブルを用意しておけばよい。【００２３】  周波数制御部８は、位置情報取得部９からの受信装置の位置情報及び設定部１０からのチャンネル情報とセグメント情報により、記憶部１１に記憶されているテーブルを参照して発生部７のサンプリング信号の周波数を決定する。【００２４】  上記構成により、受信装置は、妨害信号を検波しなくとも、位置情報取得部９からの信号に基づいて、ＡＤ変換部５に供給されるサンプリング信号の周波数を制御できる。その結果、消費電力を低減することができる。また、隣接チャンネルもしくは次隣接チャンネルの信号の有無を判断する時間を短縮することができる。【００２５】  また、位置情報取得部９は、携帯端末の通信回線より位置情報を取得しても良い。この場合、位置情報取得部９からの信号は、基地局情報などである。これにより、位置情報取得部９は、地下などのＧＰＳ衛星から電波の届かない場所においても、位置情報を取得できる。さらに、位置情報取得部９からの信号と、設定部１０からの信号と、記憶部１１に記憶されている表１に示すテーブルとから、隣接・次隣接チャンネルが存在しないと判断された場合、フィルタ４の次数を下げても良い。フィルタ４の次数を下げるとは、隣接・次隣接チャンネルにおける減衰特性の傾きを緩くするか、もしくは隣接・次隣接チャンネルにおける信号の減衰量を小さくすることである。隣接・次隣接チャンネルが存在すると判断された場合は、フィルタの次数をもとに戻す。このようにフィルタの特性を変化させることにより、隣接・次隣接チャンネルにおける信号を減衰させる必要性が低い場合に、フィルタ４における消費電力を低減できる。【００２６】  以上のように、受信装置は、妨害信号を検波しなくとも、位置情報取得部９からの信号に基づいて、ＡＤ変換部５に供給されるサンプリング信号の周波数を最適な周波数に設定することができる。その結果、消費電力を低減することができる。
【産業上の利用可能性】
【００２７】  本発明の受信装置は、消費電力を低減することができ、携帯端末等に利用できる。
【図１】
2007040176.tif 000006
【図２】
2007040176.tif 000007
【図３】
2007040176.tif 000008
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
中間周波帯域の周波数を有するアナログ信号が入力され前記アナログ信号をデジタル信号に変換するＡＤ変換部と、
前記ＡＤ変換部に接続され前記ＡＤ変換部にサンプリング信号を供給するサンプリング信号発生部と、
前記サンプリング信号発生部に接続され前記サンプリング信号発生部に前記サンプリング信号の周波数を制御する制御信号を供給する周波数制御部と、
前記周波数制御部に接続され前記周波数制御部に前記サンプリング信号の周波数を制御するための位置情報を供給する位置情報取得部と、
を有する受信装置。
【請求項２】
前記位置情報取得部は、ＧＰＳ受信機である請求項１に記載の受信装置。
【請求項３】
前記位置情報取得部は、携帯端末の通信回線より位置情報を取得する請求項１に記載の受信装置。
【請求項４】
前記ＡＤ変換部に接続されたフィルタをさらに有し、
前記位置情報取得部からの信号に基づいて前記フィルタの特性を変化させる請求項１に記載の受信装置。
【請求項５】
前記周波数制御部にチャンネル情報を供給するチャンネル設定部と、
都道府県別の地上波デジタル放送チャンネルおよびセグメントに対するサンプリング信号のテーブルが格納され、前記周波数制御部に前記テーブルの情報を供給する記憶部と、
をさらに有し、
前記周波数制御部は、前記位置情報と前記チャンネル情報によって前記テーブルを参照し、前記サンプリング信号の周波数を決定する請求項１に記載の受信装置。
【手続補正２】
【補正対象書類名】明細書
【補正対象項目名】全文
【補正方法】変更
【補正の内容】
【発明の詳細な説明】
【技術分野】
【０００１】
本発明は、地上波デジタル放送を受信する受信装置に関する。
【背景技術】
【０００２】
日本特開平８−８８６０８号公報は、受信中間周波信号をデジタル信号処理回路に供給するために設けられるＡＤ変換回路を開示している。このＡＤ変換回路は、サンプリング後の信号の周波数に妨害信号有りと判定した場合に、妨害信号が検出されない他の周波数に対応するサンプリング周波数を選択する。
【０００３】
以下、従来の地上波デジタル放送受信装置について図２、図３を用いて説明する。図２はＡＤ変換前の希望信号と妨害信号との周波数関係を示すスペクトラム図である。図３は従来例における受信装置のブロック図である。図３において、アンテナ１０１の出力部に混合部１０３の一方の入力が接続され、この混合部１０３の出力部に中間周波フィルタ１０４が接続される。さらに、この中間周波フィルタ１０４の出力部にＡＤ変換部１０５が接続され、このＡＤ変換部１０５の出力部に復調部１０６が接続されている。また、混合部１０３の他方の入力にはローカル信号発生部１０９が接続され、ローカル信号とアンテナ１０１からの入力信号が掛け合わされた信号が中間周波信号として出力される。このローカル信号発生部１０９は、制御部１１０からの制御信号によって、発振周波数を制御される。この制御信号はチャンネル設定部１１３からのチャンネル情報とセグメント情報により、記憶部１１１から制御情報が呼び出され、その制御情報を基に生成される。また、ＡＤ変換部１０５の他方の入力部にサンプリング信号を発振するサンプリング信号発生部１０７が接続される。このサンプリング信号発生部１０７の入力部に、サンプリング信号の周波数を制御する周波数制御部１０８が接続されている。
【０００４】
上記構成において、中間周波フィルタ１０４で十分減衰されなかった希望チャンネルの隣接チャンネルもしくは次隣接チャンネルが折り返し範囲に存在する場合、妨害信号となる。つまり、サンプリング周波数の整数倍±希望信号周波数帯に信号が存在する場合、サンプリング信号によって希望信号の周波数帯に周波数変換され、妨害信号となる。その結果、アナログからデジタルへの変換後に希望信号を再現できなくなる。この為、特に隣接および次隣接チャンネルが地上波アナログ放送信号の場合は中間周波フィルタ１０４での所望の減衰量が大きくなる。その理由はデジタル放送とアナログ放送が混在することにより、デジタル放送信号がアナログ放送信号を妨害しないように、デジタル放送の送信電力が低く設定されているためである。
【０００５】
上記中間周波フィルタ１０４の所望の減衰量が大きくなるのを防ぐために、混合部１０３の出力部に、妨害信号を検波する検波部１１２が接続されている。この検波部１１２の出力部に、検波部１１２によって妨害信号が存在すると判断された場合、サンプリング信号発生部１０７のサンプリング周波数を制御する周波数制御部１０８が接続されている。
【０００６】
しかしながら、従来の受信装置は、上下の隣接チャンネルおよび上下の次隣接チャンネルの合計４つの周波数帯域で、妨害信号を検波する必要がある。そのため、消費電力が大きくなるという問題がある。
【発明の開示】
【０００７】
受信装置は、ＡＤ変換部とサンプリング信号発生部と周波数制御部と位置情報取得部とを有する。ＡＤ変換部は、入力された中間周波帯域の周波数を有するアナログ信号をデジタル信号に変換する。サンプリング信号発生部は、ＡＤ変換部にサンプリング信号を供給する。周波数制御部は、サンプリング信号発生部にサンプリング信号の周波数を制御する制御信号を供給する。位置情報取得部は、周波数制御部にサンプリング信号の周波数を制御するための位置情報を供給する。よって、消費電力が低減される受信装置を提供できる。
【発明を実施するための最良の形態】
【０００８】
図１は、本発明の実施の形態における受信装置のブロック図である。図１において、アンテナ１の出力部に入力フィルタ（図示せず）と、高周波増幅部２と、混合部３と、中間周波フィルタ４と、中間周波増幅部（図示せず）とがこの順に接続されている。この中間周波増幅部の出力部にＡＤ変換部５が接続され、このＡＤ変換部５の出力部に復調部６が接続されている。ＡＤ変換部５は、中間周波帯域の周波数を有するアナログ信号が入力されると、デジタル信号に変換する。また、ＡＤ変換部５の他の入力部にサンプリング信号を供給するサンプリング信号発生部７（以後、発生部７と言う）が接続され、この発生部７の入力部に、サンプリング信号の周波数を制御する周波数制御部８が接続されている。この周波数制御部８は、３つの入力を有し、これら３つの入力は、位置情報取得部９の出力部、チャンネル設定部１０（以後、設定部１０と言う）の出力部、記憶部１１の出力部にそれぞれ接続されている。
【０００９】
位置情報取得部９は、例えばＧＰＳ（Ｇｌｏｂａｌ Ｐｏｓｉｔｉｏｎｉｎｇ Ｓｙｓｔｅｍ）受信機からなり、受信装置の現在位置を取得するものである。また、ＧＰＳ衛星から位置情報を取得するため、受信装置を全世界で使用することもできる。
【００１０】
設定部１０は、例えばテレビ用マイコンからなる。設定部１０は、発生部７を制御する周波数制御部８と、ローカル信号発生部１２を制御する制御部１３とにユーザーが選局したチャンネル情報およびセグメント情報を送信するものである。
【００１１】
なお、制御部１３は、上記チャンネル情報と、記憶部１４からの制御情報によりローカル信号発生部１２を制御する。
【００１２】
記憶部１１は、例えば、ＲＯＭ、ＥＥＰＲＯＭ、フラッシュメモリからなり、表１に示すようなテーブルを記憶している。このテーブルは各都道府県別の地上波デジタル放送チャンネルおよびセグメントに対するサンプリング信号発生部制御情報である。
【００１３】
【表１】
2007040176.tif 000009
【００１４】
このテーブルの生成方法を説明する。まず、各都道府県別の地上波デジタル放送およびアナログ放送のチャンネルプランにより、各デジタル放送チャンネルの隣接および次隣接チャンネルにアナログ放送チャンネルが存在するかどうかを判定する。例えば、表２に示すチャンネルプランにより、大阪においてデジタル放送７チャンネルの隣接チャンネルとして、アナログ放送６チャンネルと８チャンネルとが存在することが分かる。
【００１５】
【表２】
2007040176.tif 000010
【００１６】
また、次隣接チャンネルとして、アナログ放送５チャンネルと９チャンネルとが存在しないことが分かる。次に、表３に示すアナログ放送の存在状況に対するサンプリング周波数の関係から、サンプリング信号の周波数を何Ｈｚにすれば良いかが分かる。
【００１７】
【表３】
2007040176.tif 000011
【００１８】
例えば、表３に示すテーブルにより、ＶＨＦ７チャンネルの第１セグメント（Ｓ１）を受信時であって、隣接チャンネルのみ存在する場合は、サンプリング信号の周波数を２．４ＭＨｚにすればよいことが分かる。この表３に示すサンプリング信号の周波数は、隣接・次隣接チャンネル妨害信号の所望の減衰量、発生部７の消費電力などを総合的に考慮して決定されている。このように、表２に示すチャンネルプラン及び表３に示すテーブルにより表１に示すテーブルは生成される。
【００１９】
なお、地上波アナログ放送の周波数変換や地上波デジタル放送の送信電力増加が順次実施されているので、記憶部１１に記憶されているテーブルを更新する必要が生じる。そのため、携帯端末の通信回線や無線ＬＡＮ、Ｂｌｕｅｔｏｏｔｈ（Ｂｌｕｅｔｏｏｔｈ：ザ  ブルートゥース  エスアイジー  インコーポレーテッドの登録商標）などの無線通信機器、ＳＤメモリなどの交換可能な外部記憶装置を通して、テーブルを最新データに更新出来る。
【００２０】
また、表１で示すテーブルは１セグメント放送受信時のものであるが、３セグメント放送を受信できる受信器においては同様に３セグメント放送受信用のテーブルを用意しておけばよい。
【００２１】
周波数制御部８は、位置情報取得部９からの受信装置の位置情報及び設定部１０からのチャンネル情報とセグメント情報により、記憶部１１に記憶されているテーブルを参照して発生部７のサンプリング信号の周波数を決定する。
【００２２】
上記構成により、受信装置は、妨害信号を検波しなくとも、位置情報取得部９からの信号に基づいて、ＡＤ変換部５に供給されるサンプリング信号の周波数を制御できる。その結果、消費電力を低減することができる。また、隣接チャンネルもしくは次隣接チャンネルの信号の有無を判断する時間を短縮することができる。
【００２３】
また、位置情報取得部９は、携帯端末の通信回線より位置情報を取得しても良い。この場合、位置情報取得部９からの信号は、基地局情報などである。これにより、位置情報取得部９は、地下などのＧＰＳ衛星から電波の届かない場所においても、位置情報を取得できる。さらに、位置情報取得部９からの信号と、設定部１０からの信号と、記憶部１１に記憶されている表１に示すテーブルとから、隣接・次隣接チャンネルが存在しないと判断された場合、フィルタ４の次数を下げても良い。フィルタ４の次数を下げるとは、隣接・次隣接チャンネルにおける減衰特性の傾きを緩くするか、もしくは隣接・次隣接チャンネルにおける信号の減衰量を小さくすることである。隣接・次隣接チャンネルが存在すると判断された場合は、フィルタの次数をもとに戻す。このようにフィルタの特性を変化させることにより、隣接・次隣接チャンネルにおける信号を減衰させる必要性が低い場合に、フィルタ４における消費電力を低減できる。
【００２４】
以上のように、受信装置は、妨害信号を検波しなくとも、位置情報取得部９からの信号に基づいて、ＡＤ変換部５に供給されるサンプリング信号の周波数を最適な周波数に設定することができる。その結果、消費電力を低減することができる。
【産業上の利用可能性】
【００２５】
本発明の受信装置は、消費電力を低減することができ、携帯端末等に利用できる。
【図面の簡単な説明】
【００２６】
【図１】本発明の実施の形態における受信装置のブロック図
【図２】ＡＤ変換前の希望信号と妨害信号との周波数関係を示すスペクトラム図
【図３】従来例における受信装置のブロック図
【符号の説明】
【００２７】
１    アンテナ
２    高周波増幅部
３    混合部
４    中間周波フィルタ
５    ＡＤ変換部
６    復調部
７    サンプリング信号発生部
８    周波数制御部
９    位置情報取得部
１０    チャンネル設定部
１１    記憶部
【手続補正３】
【補正対象書類名】図面
【補正対象項目名】全図
【補正方法】変更
【補正の内容】
【図１】
2007040176.tif 000012
【図２】
2007040176.tif 000013
【図３】
2007040176.tif 000014
【国際調査報告】
2007040176.tif 000015
2007040176.tif 000016